(57)【特許請求の範囲】
【請求項１】
接点を開閉する開閉機構をカバー（４）で覆った回路遮断器の開閉表示装置であって、
前記カバーに形成された開口部（４ａ）と、
前記開閉機構に連結されその動作に応じて回転する弾性を有する合成樹脂材料からなる表示部材（２）と、
前記表示部材の先端に備えられ且つ前記カバーの開口部の外から目視可能な開及び閉の表示と、
前記開閉機構の動作完了直前に前記表示部材を前記先端に隣接する部分で係止する係止部材（３）とを備え、
前記表示部材は前記係止部材と当接した後さらに回転付勢されたときその回転中心と前記係止部分をつなぐ表示腕（２ｃ）が撓むことを特徴とする回路遮断器の開閉表示装置。
【発明の詳細な説明】
【０００１】
【発明の属する技術分野】
本発明は、回路遮断器の機械的開閉表示装置に関する。
【０００２】
【従来の技術】
特開昭６１−３９４２７公報に開示されている、回路遮断器の接点の開閉機構の一例を図３及び図４に示す。図３は固定接点１０と可動接点１１が接触している「閉」状態を示す回路遮断器全体を示す側面図であり、図４はそれらが開離している「開」状態を示す部分的側面図である。
【０００３】
図３において、可動接点１１を備えた可動接触子１２は、軸１３を介して軸２８に回転自在に保持される接触子ホルダ２９に保持される。接触子ホルダ２９は、絶縁ロッド１４と操作レバー１５を介して回転自在のクロスバ１６に連結されている。絶縁ロッド１４と操作レバー１５は軸１７によって連結されており、軸１７にはリンク１９、リンク２０を介して回転自在に軸支されるラッチ２１が連結されている。このラッチ２１は軸１７を略下方に付勢する遮断ばね１８によって時計方向に付勢されており、その付勢はラッチ板２２に備えられたラッチローラ２３よって保持されている。
【０００４】
この回路遮断器に接点の開路指令が加えられ、詳細は説明しないが、ラッチ板２２が時計方向に回転するとラッチ２１とラッチローラ２３の係合が解消して、ラッチ２１が時計方向に回転しリンク２０、リンク１９及び軸１７は下方に移動する。その結果、絶縁ロッド１４を介して接触子ホルダ２９は可動接触子１２と共に反時計方向に回転し、固定接点１０と可動接点１１が開離し、このとき操作レバー１５も時計方向に回転する。この状態が図４である。
【０００５】
この回路遮断器の接点の開閉表示装置は、軸２４によって回転自在に軸支されるとともに、その先端に「閉」の表示２５ａと「開」の表示２５ｂを備える金属性の表示レバー２５を備える。この表示レバー２５は、リンク２６を介して操作レバー１５に連結されている。この回路遮断器には、開閉表示装置や開閉機構をを覆う前面のカバー２７が設けられ、このカバー２７には開口部２７ａが形成されている。
【０００６】
このような従来の開閉表示装置は、接点が「閉」の状態では図３のように「閉」の表示２５ａの表示が開口部２７ａを介してカバー２７の表面から目視できる位置に、表示レバー２５が停止している。そして、接点が「開」の状態になると図４のように操作レバー１５が回転してリンク２６を介して表示レバー２５が時計方向に回転して、開口部２７ａを介して「開」の表示２５ｂを目視できるようになっている。
【０００７】
【発明が解決しようとする課題】
このように回路遮断器の開閉表示装置は多数の部品が連動することによって動作するが、この従来の回路遮断器の開閉表示装置にあっては、表示レバー２５が多数の部品の製造誤差が集積されてそのストッップ位置が一定しないことがある。そのため開口部２７ａの位置から確実に「開」や「閉」の表示を目視できないような位置で、表示レバー２５が停止する場合が生じるという問題があった。
【０００８】
【課題を解決するための手段】
上記の問題を解決するために、本発明は、接点を開閉する開閉機構をカバーで覆った回路遮断器に、そのカバーに開口部を形成し、開閉機構に連結されその動作に応じて回転する弾性を有する合成樹脂材料からなる表示部材と、表示部材の先端に備えられ且つカバーの開口部の外から目視可能な開及び閉の表示と、開閉機構の動作完了直前に表示部材をその先端に隣接する部分で係止する係止部材とを備え、表示部材は係止部材と当接した後さらに回転付勢されたときその回転中心と係止部分をつなぐ表示腕（２ｃ）が撓むこととしている。
【０００９】
そして、このような構成により、開閉機構の動作により表示部材が係止部材と当接した後さらに回転付勢されたとき、表示部材に撓みが生じ、余分な回転分が吸収される。このような撓みが生じても、係止部材は開及び閉の表示のある先端部に隣接する部分で表示手段を係止するため開及び閉の表示はほとんど移動しない。
【００１０】
【発明の実施の形態】
本発明の実施の形態を、一実施例によって説明する。図１及び図２はそれぞれ接点が「閉」及び「開」の状態におけるこの回路遮断器の開閉表示装置を示す側面図である。
【００１１】
フレーム１は回路遮断器の接点の開閉機構を保持する固定部材であって、このフレーム１には表示部材２、ピン状の係止部材３及びカバー４が備えられる。
【００１２】
表示部材２は熱可塑性合成樹脂のような弾性を有する部材であってフレーム１に回転自在に保持され、先端部に上下に「開」「閉」の表示を有する表示部２ａと、表示部２ａに隣接して形成された窓枠状の係止部２ｂと、係止部２ｂと表示部材２の回転中心との間に回転方向に薄く形成された表示腕２ｃと、機構連結腕２ｄを有する。そして、この係止部２ｂの窓枠内には係止部材３が挿通しており、機構連結腕２ｄには開閉機構に連結されその開閉状態に応じて略左右方向に移動する機構部品５が連結されている。（なお、この実施例の説明において、回路遮断器の開閉機構は本願発明の主要部ではないため、図面及びその説明を省略する。）
カバー４には開口部４ａが形成されており、この開口部４ａには透明板６がはめ込まれている。
【００１３】
次に、この開閉表示装置の動作について説明する。
【００１４】
図２に示す接点が開路しているときの表示装置の状態から、接点の閉路指令が発せられて開閉機構が動作すると、機構部品５が左方向に移動して表示部材２が時計方向に回転する。そして、閉路動作完了直前に係止部２ｂの窓枠の下端が係止部材３に接触する。この状態が図１に示されており、表示部２ａの「閉」の表示が開口部４ａの位置と一致する。さらに、閉路動作完了まで機構部品５が左方向に移動すると、係止部２ｂの部分はほとんど移動しないため表示腕２ｃの部分が撓む。しかし、係止部２ｂと表示部２ａが隣接しているため表示部２ａもほとんど移動せず開口部４ａからの「閉」表示の目視には影響がない。
【００１５】
図１の状態から、接点の開路指令により開閉機構が開路動作を始めると、機構部品５が右方向に移動して表示部材２が反時計方向に回転し、図２に示すように開路動作完了直前に係止部２ｂの窓枠上端部において係止部材３と接触する。この状態では表示部２ａの「開」の表示が開口部４ａの位置と一致している。さらに開路動作完了まで機構部品５が移動すると、表示腕２ｃが撓むが前述の閉路動作と同様に表示部２ａの「開」の表示が開口部４ａから確実に目視できる。
【００１６】
したがって、係止手段３と係止部２ｂが当接したとき開口部４ａから「開」及び「閉」の表示を確実に目視できる位置に、開口部４ａと係止手段３と係止部２ｂの窓枠上端及び下端との相対位置を定めるとともに、閉路動作及び開路動作の完了前に係止部２ｂの窓枠のそれぞれ下端及び上端が係止手段３と当接するようにさえしておけば、開閉機構の部品寸法の誤差などにより機構部品５の移動距離がばらついても正確に表示を目視できる。
【００１８】
【発明の効果】
本発明は、以上説明したような形態で実施され、接点の開閉機構部の多数の部品の製造上の誤差が集積されても確実な開閉表示が可能となり、より高い安全性を確保できる。さらに、開閉表示を正確に行うための開閉機構部品の加工精度や組立精度を、回路遮断器に本来要求されている開閉、遮断性能を満足させるために必要な精度以上に高くする必要もなく、経済的な回路遮断器を提供できるという効果も奏する。
【図面の簡単な説明】
【図１】本発明による回路遮断器の開閉表示装置の実施例の閉路状態における側面図である。
【図２】図１の開路状態における側面図である。
【図３】従来の回路遮断器の閉路状態における側面図である。
【図４】図３の開路状態における部分図である。
【符号の説明】
１  フレーム１
２  表示部材
２ａ  表示部
２ｂ  係止部
２ｃ  表示腕
２ｄ  機構連結腕
３  係止部材
４  カバー
４ａ  開口部
５  機構部品
６  透明板
【図１】
0003853015.tif 000002
【図２】
0003853015.tif 000003
【図３】
0003853015.tif 000004
【図４】
0003853015.tif 000005